(57)【特許請求の範囲】
【請求項１】
少なくとも腰部から膝上までを被覆する部分を有し、身体にほぼ密着した状態で着用される運動用衣服であって、
前記運動用衣服は、ハムストリングス及び内転筋群を覆う領域において、互いに分離している二つ以上の強緊締部を有し、
前記強緊締部は、筋肉の筋腹の一部又は全部を覆うとともに、長手方向が筋肉の長軸方向に沿うように配置されており、
前記強緊締部は、伸縮性を有する本体生地の裏面に伸縮性を有する生地片をホットメルト接着剤で接着して構成されており、運動用衣服の表面において凹凸を形成しており、
前記運動用衣服は、ランニング用又はジョギング用であることを特徴とする運動用衣服。
【請求項２】
前記強緊締部は、大腿二頭筋の筋腹の少なくとも一部を覆う第１強緊締部と、半腱様筋及び大内転筋の筋腹の少なくとも一部を覆う第２強緊締部を有する請求項１に記載の運動用衣服。
【請求項３】
前記強緊締部による衣服圧は、５〜３０ｈＰａである請求項１又は２に記載の運動用衣服。
【請求項４】
前記運動用衣服は、膝蓋靭帯より下部を覆う領域において、脛骨に沿うように配置されている１本の縫製線のみ有する請求項１〜３のいずれか１項に記載の運動用衣服。
【発明の詳細な説明】
【技術分野】
【０００１】
本発明は、運動を行う時に着用される運動用衣服に関し、特にはジョギングやランニング時に着用される運動用衣服に関する。
【背景技術】
【０００２】
ジョギングやランニングなど人体に衝撃が加わるような運動では、その衝撃による入力周波数と身体各部位の固有振動数が近い場合、共振を防ぐための筋活動、即ちマッスルチューニング（Ｍｕｓｃｌｅ  Ｔｕｎｉｎｇ；Ｍｕｓｃｌｅ  ａｃｔｉｖｉｔｙ  ｒｅｄｕｃｅｓ  ｓｏｆｔ−ｔｉｓｓｕｅ  ｒｅｓｏｎａｎｃｅ  ａｔ  ｈｅｅｌ−ｓｔｒｉｋｅ  ｄｕｒｉｎｇ  ｗａｌｋｉｎｇ．  Ｗａｋｅｌｉｎｇ  Ｊ．  Ｍ．  ｅｔ  ａｌ，  Ｊ．  Ｂｉｏｍｅｃｈ  ３６−１２，１７６１−１７６９，２００３）が起こり、筋肉の疲れや痛みなどの原因となると考えられている。そこで、本出願人は、特許文献１において、運動用スパッツの特定部位にパワー部位を配置することで、下肢部におけるマッスルチューニングを抑制することを提案している。
【先行技術文献】
【特許文献】
【０００３】
【特許文献１】特開２０１１−２２６０４８号公報
【発明の概要】
【発明が解決しようとする課題】
【０００４】
しかし、特許文献１に記載の運動用衣服は、大腿部の着用感をさらに改善することが望まれている。
【０００５】
本発明は、上記従来の問題を解決するため、大腿部の着用感を良好にしつつ、大腿部におけるマッスルチューニングを抑制することができる運動用衣服を提供する。
【課題を解決するための手段】
【０００６】
本発明の運動用衣服は、少なくとも腰部から膝上までを被覆する部分を有し、身体にほぼ密着した状態で着用される運動用衣服であって、上記運動用衣服は、ハムストリングス及び内転筋群を覆う領域において、互いに分離している二つ以上の強緊締部を有し、上記強緊締部は、伸縮性を有する本体生地の裏面に伸縮性を有する生地片をホットメルト接着剤で接着して構成されており、前記運動用衣服の表面において凹凸を形成していることを特徴とする運動用衣服に関する。
【０００７】
上記強緊締部は、筋肉の筋腹の一部又は全部を覆うように配置されていることが好ましい。また、上記強緊締部は、長さ方向が筋肉の長軸方向に沿うように配置されていることが好ましい。また、上記強緊締部は、大腿二頭筋の筋腹の少なくとも一部を覆う第１強緊締部と、半腱様筋及び大内転勤の筋腹の少なくとも一部を覆う第２強緊締部を有することが好ましい。
【０００８】
上記強緊締部による衣服圧は、５〜３０ｈＰａであることが好ましい。
【０００９】
上記運動用衣服は、膝蓋靭帯より下部を覆う領域において、脛骨に沿うように配置された１本の縫製線のみ有することが好ましい。
【発明の効果】
【００１０】
本発明の運動用衣服は、大腿部の着用感を良好にしつつ、大腿部におけるマッスルチューニングを抑制し、運動機能を向上することができる運動用衣服を提供する。
【図面の簡単な説明】
【００１１】
【図１】図１Ａは本発明の運動用衣服の一実施態様の正面図であり、図１Ｂは同背面図であり、図１Ｃは同外側面図であり、図１Ｄは同内側面図である。
【図２】図２Ａは本発明の運動用衣服の他の一実施態様の正面図であり、図２Ｂは同背面図であり、図２Ｃは同外側面図であり、図２Ｄは同内側面図である。
【発明を実施するための形態】
【００１２】
本発明の発明者らは、少なくとも腰部から膝上までを被覆する部分を有し、身体にほぼ密着した状態で着用される運動用衣服において、大腿部の着用感を良好にしつつ、大腿部におけるマッスルチューニングを抑制することについて鋭意検討した。その結果、ハムストリングス及び内転筋群を覆う領域において、伸縮性を有する本体生地の裏面に伸縮性を有する生地片をホットメルト接着剤で接着して構成した強緊締部を、二つ以上互いに分離するように配置するとともに、上記強緊締部が上記運動用衣服の表面において凹凸を形成するようにすることにより、大腿部の着用感を阻害することなく、大腿部におけるマッスルチューニングを抑制し得ることを見出し、本発明に至った。
【００１３】
本発明において、「ほぼ密着」の状態を作るには、人体の裸のサイズに対して、周囲方向は５０〜１１０％、より好ましくは７０〜９５％、丈は７５〜１００％、より好ましくは８５〜１００％として運動用衣服を形成する。もちろん人体のサイズは個人差があるので、前記の比率は目安である。より具体的には、ＪＡＳＰＯ規格に従ってサイズを決める。
【００１４】
また、本発明において、「伸縮性を有する」とは、生地の身体の幅方向における伸長率及び／又は身体の長さ方向における伸長率が０％を超えることを意味する。本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、伸長率＝（Ｂ−Ａ）／Ａ×１００で算出したものである。
【００１５】
上記運動用衣服は、ハムストリングス及び内転筋群を覆う領域において、強緊締部を有する。ハムストリングス及び内転筋群は、マッスルチューニングが起こり易い部位であり、該部位に強緊締部を配置することで、大腿部のマッスルチューニングを抑制することができる。また、伸縮性を有する本体生地の裏面に伸縮性を有する生地片をホットメルト接着剤で接着して構成した強緊締部を、二つ以上互いに分離するように配置するとともに、上記強緊締部が上記運動用衣服の表面において凹凸を形成するようにすることにより、大腿部の着用性を阻害することなく、マッスルチューニングを抑制することができる。
【００１６】
上記強緊締部は、筋肉の筋腹の一部又は全部を覆うように配置されていることが好ましい。マッスルチューニングの抑制効果が向上する。また、上記強緊締部は、長さ方向が筋肉の長軸方向に沿うように配置されていることが好ましい。筋肉の伸展を阻害せず、マッスルチューニングを抑制することができる。
【００１７】
上記強緊締部は、大腿二頭筋の筋腹の少なくとも一部を覆う第１強緊締部と、半腱様筋及び大内転勤の筋腹の少なくとも一部を覆う第２強緊締部を有することが好ましい。大腿部の筋肉発揮や着用性を阻害せず、大腿後部のマッスルチューニングを効果的に抑制し得る。第１強緊締部は、長さ方向が大腿二頭筋の長軸方向に沿うように配置されており、第２強緊締部は、長さ方向が半腱様筋の長軸方向に沿うように配置されていることが好ましい。これにより、筋肉の伸展を阻害せず、マッスルチューニングを抑制することができる。
【００１８】
上記強緊締部は、伸縮性を有する本体生地の裏面に伸縮性を有する生地片をホットメルト接着剤で接着して構成している。ホットメルト接着剤としては、特に限定されず、例えば、シートタイプ、不織布タイプ、液状タイプなどが挙げられる。シートタイプや不織布タイプの場合、厚みを適宜選択することにより、強緊締部による衣服圧を調整することができる。シートタイプや不織布タイプの場合、厚みは特に限定されないが、５０〜１５０μｍであることが好ましく、８０〜１２０μｍであることがより好ましい。不織布タイプのホットメルト接着剤を用いることで、通気性を高めることができる。液状タイプのホットメルト接着剤の場合、目的とする強緊締部による衣服圧に基づいて、塗布厚みを適宜調整することができる。
【００１９】
上記強緊締部は、通気性に優れる観点から、通気度が５〜３０ｃｍ3／ｃｍ2・ｓであることが好ましく、１０〜３０ｃｍ3／ｃｍ2・ｓであることがより好ましい。本発明において、通気度は、ＪＩＳ  Ｌ  １０９６  Ａ法(フラジール法)試験に準じて測定する。
【００２０】
上記強緊締部は、運動用衣服の表面において凹凸を形成している。強緊締部と身体（肌）との間に隙間ができ、ムレヤベトツキを軽減することができ、着用感が阻害されない。また、強緊締部が筋肉に沿いやすく、筋肉の形をつぶさないため、筋肉発揮を阻害せずに、マッスルチューニングを抑制することができる。シートタイプや不織布タイプの場合、特に限定されないが、例えば、熱をかけて溶かして接着させる際に、凹凸を有する金型で圧着することで、運動用衣服の表面に凹凸を形成することができる。液状のホットメルト接着剤の場合、例えば、本体生地や生地片のいずれかに接着剤をドット状に塗布して接着することで、運動用衣服の表面に凹凸を形成することができる。凸部の形状は、特に限定されず、円、三日月形、三角形や四角形などの多角形、幾何学模様、梨地などのいずれの形状であってもよい。凸部の高さは、特に限定されず、例えば、１．０〜２．０ｍｍであることが好ましく、１．０〜１．５ｍｍであることがより好ましい。凸部の高さは、厚み計で測定することができる。
【００２１】
上記強緊締部による衣服圧は、５〜３０ｈＰａであることが好ましく、より好ましくは、７〜２７ｈＰａであり、さらに好ましくは、９〜２４ｈＰａである。ハムストリングス及び内転筋群の運動機能を阻害することなく、マッスルチューニングを抑制することができる。
【００２２】
本発明において、衣服圧は、運動用衣服を同じサイズのマネキンに着用させて、以下にように測定する。例えば、運動用衣服がＭサイズである場合は、Ｍサイズのマネキンを用いて衣服圧を測定する。具体的には、測定部位に衣服圧センサーを固定した後、運動用衣服を着用させて、着脱を少なくとも３回繰り返し、衣服圧を測定する。なお、衣服圧は、着用直後にピーク値を示した後、応力緩和のために漸減していくが、計測値は、着用直後のピーク値とする。
【００２３】
上記運動用衣服において、本体生地は、一定の伸長率の一種の生地であってもよく、伸張率が異なる二種以上の生地であってもよい。本発明において、着用感のため、本体生地の幅方向における平均伸長率は、７０％以上であることが好ましく、７０〜９０％であることがより好ましい。本発明において、着用感のため、本体生地の長さ方向における平均伸長率は、１００％以上であることが好ましく、１００〜１８０％であることがより好ましい。本発明において、平均伸長率とは、本体生地が一種である場合は、その伸張率であり、本体生地が伸張率が異なる二種以上の生地を含む場合は、異なる伸長率の生地の伸長率を、それぞれ、上述のように測定した後、平均したものである。以下において、本体生地が伸張率が異なる二種以上の生地である場合、伸張率が高い生地を高ストレッチ性生地と言い、伸張率が低い生地を低ストレッチ性生地という。なお、生地の伸長率が低いほど、緊締力が高くなる。上記強緊締部を構成する生地片は、本体生地と同様の生地を所定の大きさに適宜に切り取って用いればよい。
【００２４】
上記運動用衣服において、骨盤を覆う領域には、低ストレッチ生地で構成されたパワー部位が配置されていることが好ましく、腰部のパワー部位の上端ラインが腹部のパワー部位の上端ラインより高い位置に配置されていることがより好ましい。これにより、ランニング時などの運動時に、骨盤を前傾させることで、足接地位置と身体の重心位置を近接させ、運動機能を向上させることができる。ウエスト上部を覆う領域には、本体生地を折り曲げて袋を形成し、袋の内部にゴムベルトを配置したベルト部を設けてもよい。
【００２５】
上記運動用衣服において、大腿外側部を覆う領域には、低ストレッチ生地で構成されたパワー部位が配置されていることが好ましい。上記運動用衣服において、股を覆う領域には、低ストレッチ生地で構成されたパワー部位が配置されていることが好ましい。これらの領域に、パワー部位を配置することで、脚の上げやすさを損なわずに、大腿部全体の動きをサポートすることができる。
【００２６】
上記運動用衣服において、膝のまわりを覆う領域には、低ストレッチ生地で構成されたパワー部位が配置されていることが好ましい。膝パワー部位は、膝の内側を覆う領域に配置されている膝内側パワー部位と、膝の外側を覆う領域に配置されている膝外側パワー部位を有する。膝内側パワー部位及び膝外側パワー部位は、身体の長さ方向に沿って帯状に形成され、膝骨靭帯を覆う領域において交差して連結されていることが好ましい。これにより、膝を保護し、膝の動きをサポートすることができる。
【００２７】
上記パワー部位は、特に限定されないが、幅方向における伸長率が２０〜８０％の生地で構成されていることが好ましく、幅方向における伸長率が３０〜８０％の生地で構成されていることがより好ましく、幅方向における伸長率が３０〜７０％の生地で構成されていることが特に好ましい。上記パワー部位は、特に限定されないが、長さ方向における伸長率が４０〜１００％の生地で構成されていることが好ましく、長さ方向における伸長率が５０〜９０％の生地で構成されていることがより好ましく、長さ方向における伸長率が５０〜８０％の生地で構成されていることが特に好ましい。幅方向及び長さ方向における伸長率が上記の範囲であると、着用感を良好にしつつ、サポート機能を発揮し得る。
【００２８】
また、上記パワー部位を構成する生地の伸長率が、上記パワー部位を除く部位（以下において、高ストレッチ部と記す。）を構成する生地の伸長率より、１０〜７０％低いことが好ましく、２０〜７０％低いことがより好ましく、４０〜７０％低いことが特に好ましい。上記パワー部位を構成する生地の伸長率が、上記高ストレッチ部を構成する生地の伸長率より１０％以上低いと、上記パワー部位によるパワー感が良好であり、筋肉に対するサポート感が得られやすい。一方、上記パワー部位を構成する生地の伸長率と、高ストレッチ部を構成する生地の伸長率の差が７０％未満であると、縫製線パッカリングなどによる外観不良が発生しにくく、局部に応力がかからず、使用中にパワー部位の生地と高ストレッチ部の生地との間で違和感がない。
【００２９】
上記高ストレッチ部は、特に限定されないが、幅方向における伸長率が５５〜１７０％の生地で構成されていることが好ましく、幅方向における伸長率が６５〜１５５％の生地で構成されていることがより好ましく、幅方向における伸長率が７５〜１１５％の生地で構成されていることがさらに好ましい。幅方向における伸長率が７５〜１１５％であると、着用感がより良好になる。
【００３０】
本発明において、上記パワー部位による衣服圧は、５〜３０ｈＰａであることが好ましく、９〜２４ｈＰａであることがより好ましい。パワー部位による衣服圧が上記の範囲内であると、サポート機能を発揮し得る上、着用感も良好である。
【００３１】
上記本体生地としては、伸縮性を有するものであればよく、特に限定されないが、例えば織物、編物などの通常の衣服用生地を採用できる。織物としては、例えば平織、斜文織、朱子織、変化平織、変化斜文織、変化朱子織、変わり織、紋織、片重ね織、二重組織、多重組織、経パイル織、緯パイル織、絡み織などがある。編物としては、例えば丸編、緯編、経編（トリコット編、ラッセル編を含む）、パイル編などを含み、平編、天竺編、リブ編、スムース編（両面編）、ゴム編、パール編、デンビー組織、コード組織、アトラス組織、鎖組織、挿入組織などがある。上記生地は、目付けが１２０〜２８０ｇ／ｍ2の範囲が好ましく、より好ましくは１４０〜２５０ｇ／ｍ2の範囲、特に好ましくは１６０〜２３０ｇ／ｍ2の範囲である。上記の範囲であれば、運動機能を損なわず、耐久性も良く、軽くて動きやすい利点がある。また、前記生地は、エラストマー樹脂又はゴムにより含浸又はプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等がある。ゴムとしては、シリコーンゴム、フッ素ゴム、ウレタンゴム、合成ゴム、天然ゴム等がある。また、前記生地は一枚であってもよく、異なる伸長率の二枚の生地を重ねたものであってもよい。
【００３２】
上記生地を構成する繊維としては、特に限定されず、例えば、ポリエチレンテレフタレート、ポリトリメチレンテレフタレート、ポリブチレンテレフタレートなどのポリエステル繊維、ポリウレタン繊維、アセテート繊維、コットン繊維、レーヨン繊維、エチレンビニルアルコール繊維、ナイロン繊維などを用いることができる。
【００３３】
上記運動用衣服は、少なくとも腰部から膝上までを被覆する部分を有すればよく、特に限定されない。例えば腰部から膝上までを覆うように形成されていてもよく、腰部から膝下までを覆うように形成されていてもよく、腰部から足首までを覆うように形成されていてもよく、腰部から足甲までを覆うように形成されていてもよい。
【００３４】
上記運動用衣服は、膝蓋靭帯より下部を覆う領域において、脛骨に沿うように配置されている１本の縫製線のみ有することが好ましい。皮膚伸びがない脛骨上に縫製線を１本のみ配置することで、運動時の皮膚と縫製線の摩擦が最も少なくなる。また、脹脛に均一に圧力がかかる。膝下部を覆う生地への樹脂プリントや再帰反射塗料の塗布などの加工が1回で可能になり、生産性が向上する。
【００３５】
以下、図面に基づいて、本発明の運動用衣服を説明する。
【００３６】
図１には、本発明の運動用衣服の実施態様１のランニングタイツが示されている。図１Ａは実施態様１のランニングタイツの正面図であり、図１Ｂは同背面図であり、図１Ｃは同外側面図であり、図１Ｄは同内側面図である。
【００３７】
図１に示しているように、運動用衣服（ランニングタイツ）１は、ハムストリングス及び内転筋群を覆う領域において、強緊締部１００を有し、強緊締部１００は、互いに分離している二つの強緊締部１０１と強緊締部１０２を有する。強緊締部１０１は、大腿二頭筋の筋腹の少なくとも一部を覆う第１強緊締部であり、強緊締部１０２は、半腱様筋及び大内転勤の筋腹の少なくとも一部を覆う第２強緊締部である。強緊締部１０１は、長さ方向が大腿二頭筋の長軸方向に沿うように配置されており、強緊締部１０２は、長さ方向が半腱様筋の長軸方向に沿うように配置されている。強緊締部１００が筋腹の少なくとも一部を覆うとともに、長さ方向が筋肉の長軸方向に沿うように配置されていることにより、筋肉の伸展を阻害せず、マッスルチューニングを抑制することができる。
【００３８】
強緊締部１０１及び強緊締部１０２は、伸縮性を有する本体生地１１の裏面に伸縮性を有する生地片（図示なし）をホットメルト接着剤で接着して形成しており、運動用衣服１に表面において凹凸を形成している。これにより、強緊締部と身体（肌）との間に隙間ができ、ムレヤベトツキを軽減し、着用感を良好にすることができる。また、強緊締部が筋肉に沿いやすく、筋肉の形をつぶさないため、筋肉発揮を阻害せずに、マッスルチューニングを抑制することができる。
【００３９】
運動用衣服１は、本体生地として、低ストレッチ性生地１１と高ストレッチ性生地１２の二種類の生地を有する。運動用衣服１において、骨盤を覆う領域には、低ストレッチ生地１２で構成されたパワー部位２００が配置されており、腰部のパワー部位２０２の上端ラインが腹部のパワー部位２０１の上端ラインより高い位置に配置されている。これにより、ランニング時などの運動時に、骨盤を前傾させることで、足接地位置と身体の重心位置を近接させることができる。
【００４０】
また、運動用衣服１において、大腿外側部を覆う領域には、低ストレッチ生地１２で構成されたパワー部位３００が配置されていることが好ましい。また、運動用衣服１において、股を覆う領域には、低ストレッチ生地１２で構成されたパワー部位４００が配置されていることが好ましい。これらの領域に、パワー部位を配置することで、脚の上げやすさを損なわずに、大腿部全体の動きをサポートすることができる。ウエスト上部を覆う領域には、本体生地を折り曲げて袋を形成し、袋の内部にゴムベルトを配置したベルト部６００が設けられている。
【００４１】
また、運動用衣服１において、膝のまわりを覆う領域には、低ストレッチ生地１２で構成されるパワー部位５００が配置されていることが好ましい。具体的には、膝の内側を覆う領域に配置されている膝内側パワー部位５０１と、膝の外側を覆う領域に配置されている膝外側パワー部位５０２を有する。膝内側パワー部位５０１及び膝外側パワー部位５０２は、身体の長さ方向に沿って帯状に形成され、膝骨靭帯を覆う領域において交差して連結されている。これにより、膝を保護し、膝の動きをサポートすることができる。膝内側パワー部位５０１は、股緊締部４００と一体化されていることが好ましい。
【００４２】
図２Ａは本発明の運動用衣服の他の一実施態様の正面図であり、図２Ｂは同背面図であり、図２Ｃは同外側面図であり、図２Ｄは同内側面図である。図１及び図２において、同じ符号は同じ構成を示す。図２に示されている運動用衣服２は、下腿部を覆う領域における縫製線の配置以外は、運動用衣服１と同様の構成である。運動用衣服１と同様の構成については、説明を省略する。
【００４３】
運動用衣服２は、膝蓋靭帯より下部を覆う領域において、脛骨上に配置されている１本の縫製線４０のみ有する。縫製線４０は、膝骨靭帯を覆う領域において、膝まわりのパワー部位５００と繋がっている。皮膚伸びがない脛骨上に縫製線を１本のみ配置することで、運動時の皮膚と縫製線の摩擦が最も少なくなる。また、脹脛に均一に圧力がかかる。
【００４４】
図１及び図２において、太い実線及び点線は、縫製線を示す。上記運動用衣服において、縫製は、特に限定されず、例えば、ポリエステルフィラメントミシン糸、ポリエステルスパンミシン糸、ナイロンウーリー糸、ポリエステルウーリー糸などのミシン糸を用いて行うことができ、縫製方法も、特に限定されず、本縫い、環縫い、１本針オーバーロック、２本針オーバーロック、フラットシーマなどの一般的な方法が挙げられる。
【実施例】
【００４５】
以下実施例を用いて本発明をさらに具体的に説明する。なお、本発明は下記の実施例に限定されるものではない。
【００４６】
（実施例１）
本体生地として、高ストレッチ性生地１１と低ストレッチ性生地１２を用い、図１に示したようなランニングタイツ（ＪＡＳＰＯ規格Ｍサイズ）を作製した。高ストレッチ性生地１１としては、長さ方向における伸長率が１６０％、幅方向における伸長率が１００％、目付けが１９５ｇ／ｍ2であるツーウェイ（２Ｗａｙ）トリコット経編地（ナイロン繊維７６質量％、ポリウレタン繊維２４質量％）を用いた。低ストレッチ性生地１２としては、長さ方向における伸長率が９８％、幅方向における伸長率が３６％、目付けが２１０ｇ／ｍ2であるツーウェイ（２Ｗａｙ）トリコット経編地（ナイロン繊維８７質量％、ポリウレタン繊維１３質量％）を用いた。低ストレッチ性生地１２を用い、骨盤パワー部位２００（腹部パワー部位２０１と腰部パワー部位２０２）、大腿外側部パワー部位３００、股部パワー部位４００、膝部パワー部位５００を形成し、それ以外の部位は高ストレッチ性生地１１で構成した。ハムストリングス及び内転筋群を覆う領域において、高ストレッチ性生地１１の裏面に所定の大きさにカットして高ストレッチ性生地１１の生地片（図紙無）をシート状のホットメルト接着剤（ユタックス社製、品名「Ｊ８６１」）にて接着して、互いに分離した強緊締部１０１と強緊締部１０２を形成した。接着時に、凹凸を有する金型を用いて本体生地と生地片を圧着することで、強緊締部１０１と強緊締部１０２は、運動用衣服１の表面において凹凸を形成した。強緊締部１０１と強緊締部１０２において、凸部の高さは１．２ｍｍであった。図１の実線で示している縫製線に沿ってポリエステルウーリー糸を用いて縫製しており、膝蓋靭帯より下部を覆う領域においては、縫製線２０及び縫製線３０の二本の縫製線を存在するようにした。ウエスト上部を覆う領域では、本体生地１１及び１２を折り曲げて二重点線で示した縫製線に沿って縫製して袋を形成し、袋の内部にゴムベルトを配置してベルト部６００を設けた。
【００４７】
（比較例１）
強緊締部１０１と強緊締部１０２を設けてない以外は、実施例１と同様にして比較例１のランニングタイツを作製した。
【００４８】
実施例１及び比較例１のランニングタイツの衣服圧及びマッスルチューニングを下記のように評価し、その結果を下記表１に示した。
【００４９】
（衣服圧）
Ｍサイズのマネキンにおいて、大腿後面、ふくらはぎ、足首に衣服圧センサーを固定し、Ｍサイズの実施例１又は比較例１の運動用衣服を着用させて高ストレッチ性生地、低ストレッチ性生地、強緊締部による衣服圧を計測した。衣服圧は、着用直後にピーク値を示した後、応力緩和のために漸減していくが、計測値は、着用直後のピーク値とした。
【００５０】
（マッスルチューニングの評価）
実施例１又は比較例１の運動用衣服を３名の成人男性に着用させて大腿内側中部におけるマッスルチューニングを評価した。また、ヌードの状態での大腿内側中部におけるマッスルチューニングも評価した。下記表１において、ＭＴ関数の値は、３名の被験者のＭＴ関数の平均値である。
＜１＞測定位置（大腿内側中部）に貼り付けた加速度センサーの下部３ｃｍをハンマリングし、ハンマーの入力波形と加速度センサーの出力波形を収集することで、ハンマーによる入力と、加速度センサーの出力ピークの比を求め、ゆれ易さの指標とした。この値が大きいほど、筋肉が揺れやすいことを意味する。
＜２＞出力波形についてＦＦＴを用いて周波数の解析を行い、ランニング時の衝撃で起こる周波数帯を抽出した。
＜３＞上記１で得られたゆれ易さの指標と上記２で得られた周波数を掛け合わせることでマッスルチューニング関数（ＭＴ関数）を求めた。ＭＴ関数の値が低いほど、マッスルチューニングが抑制されていることを意味する。
【００５１】
【表１】
0006600147.tif 000002
【００５２】
上記表１の結果から分かるように、実施例１の運動用衣服を着用すると、ヌードや比較例１の運動用衣服を着用した場合と比較して、大腿後部のマッスルチューニングが抑制されている。ハムストリングス及び内転筋群を覆う領域において、伸縮性を有する本体生地の裏面に伸縮性を有する生地片をホットメルト接着剤で接着して構成した強緊締部１０１、強緊締部１０２が、互いに分離するように配置され、これらの強緊締部が運動用衣服の表面において凹凸を形成している実施例１の運動用衣服は、大腿部の着用感を阻害することなく、マッスルチューニングを抑制することができた。
【００５３】
（実施例２）
下腿部を覆う領域において、２本の縫製線２０、３０の代わりに、脛骨に沿うように１本の縫製線４０のみを配置した以外は、実施例１と同様にして運動用衣服２を作製した。
【００５４】
実施例１の運動用衣服１の縫製線２本で本体生地を繋げた下腿部を覆う領域と、実施例２の運動用衣服２の縫製線１本で本体生地を繋げた下腿部を覆う領域の周長方向応力を下記のように測定し、その結果を下記表２に示した。
【００５５】
（周長方向応力）
巾５ｃｍ、長さ２０ｃｍの本体生地（高ストレッチ性生地１１）を、縫製線２本で縫製して円筒を作製し、実施例１の運動用衣服１の縫製線２本で本体生地を繋げた下腿部を覆う領域の周長方向応力を測定するサンプルとした。また、巾５ｃｍ、長さ２０ｃｍの本体生地（高ストレッチ性生地１１）を、縫製線１本で縫製して円筒を作製し、実施例２の運動用衣服２の縫製線１本で本体生地を繋げた下腿部を覆う領域の周長方向応力を測定するサンプルとした。円筒の内側に治具を挿入した状態を初期として、速度２００ｍｍ／ｍｉｎで引っ張った時の荷重を測定し、応力を求めた。
【００５６】
【表２】
0006600147.tif 000003
【００５７】
上記表２の結果から分かるように、実施例２の運動用衣服２の縫製線１本で本体生地を繋げた下腿部を覆う領域の周長方向応力が、実施例１の運動用衣服１の縫製線２本で本体生地を繋げた下腿部を覆う領域の周長方向応力より低く、縫製による当たりや局部的な負荷が軽減となる。
【００５８】
また、実施例１及び実施例２の運動用衣服を着用して大腿部の着用感を確認したところ、いずれも良好であった。
【符号の説明】
【００５９】
１、２  運動用衣服
１０、１０１、１０２  強緊締部
２０、３０、４０  縫製線
２００、２０１、２０２、３００、４００、５００、５０１、５０２  パワー部位
６００  ベルト部
【図１】
0006600147.tif 000004
【図２】
0006600147.tif 000005